(57)【要約】【課題】ＲＦ信号の受信機による受信が容易な形式で、ネットワークにコンテンツを送信できるようにする。【解決手段】ＲＦ信号伝送装置は、ＲＦ信号が外部から入力される入力部３０２と、入力部３０２に入力されたＲＦ信号に対してΔΣ変調を行って量子化信号を出力するΔΣ変調器３０７と、ΔΣ変調器３０７から出力された量子化信号を他のＲＦ信号伝送装置へ送信する送信部３０８と、を備えている。【選択図】図２
2013255004.tif 000002
【特許請求の範囲】
【請求項１】
ＲＦ信号が外部から入力される入力部と、
前記入力部に入力されたＲＦ信号に対してΔΣ変調を行って量子化信号を出力するΔΣ変調器と、
前記ΔΣ変調器から出力された前記量子化信号を外部へ送信する送信部と、
を備えていることを特徴とするＲＦ信号伝送装置。
【請求項２】
前記入力部は、アンテナを介して受信したＲＦ信号を前記ΔΣ変調器に与える入力系を含む請求項１記載のＲＦ信号伝送装置。
【請求項３】
前記入力部は、他のＲＦ信号伝送装置から受信した前記量子化信号をＲＦ信号として前記ΔΣ変調器に与える入力系を含む
請求項１又は２記載のＲＦ信号伝送装置。
【請求項４】
前記ΔΣ変調器に与えられるＲＦ信号を切り替える入力切替部を更に備え、
前記入力部は、
アンテナを介してＲＦ信号が入力される第１入力系と、
他のＲＦ信号伝送装置から送信された前記量子化信号がＲＦ信号として入力される第２入力系と、を含み、
前記入力切替部は、前記第１入力系に入力されたＲＦ信号及び前記第２入力系に入力されたＲＦ信号を、選択的に前記ΔΣ変調器に与える
請求項１〜３のいずれか１項に記載のＲＦ信号伝送装置。
【請求項５】
前記入力部に入力されたＲＦ信号を、ＲＦ信号を受信する受信機に対して出力する出力端子を更に備えている
請求項１〜４のいずれか１項に記載のＲＦ信号伝送装置。
【請求項６】
前記出力端子から出力されるＲＦ信号を切り替える出力切替部を更に備え、
前記入力部は、
アンテナを介してＲＦ信号が入力される第１入力系と、
他のＲＦ信号伝送装置から送信された前記量子化信号がＲＦ信号として入力される第２入力系とを、含み、
前記出力切替部は、前記第１入力系に入力されたＲＦ信号及び前記第２入力系に入力されたＲＦ信号を、選択的に前記出力端子に与える
請求項５記載のＲＦ信号伝送装置。
【請求項７】
前記入力部に入力されたＲＦ信号をＡＤ変換するＡＤ変換器を更に備え、
前記ΔΣ変調器には、前記ＡＤ変換器から出力されたデジタルＲＦ信号が与えられる
請求項１〜６のいずれか１項に記載のＲＦ信号伝送装置。
【請求項８】
前記入力部に入力されたＲＦ信号の周波数変換を行う周波数変換部を更に備え、
前記周波数変換部は、周波数変換されたＲＦ信号を前記ΔΣ変調器に与える
請求項１〜７のいずれか１項に記載のＲＦ信号伝送装置。
【請求項９】
前記ΔΣ変調器を制御する制御部を更に備え、
前記ΔΣ変調器は、量子化雑音阻止帯域を変更可能に構成され、
前記制御部は、前記ΔΣ変調器の量子化雑音阻止帯域を変更するための制御を行う
請求項１〜８のいずれか１項に記載のＲＦ信号伝送装置。
【請求項１０】
前記制御部は、コンテンツを特定することができる情報を含む送信要求情報を取得可能であり、取得した送信要求情報が示すコンテンツのＲＦ信号に対してΔΣ変調が行われるように、前記コンテンツのＲＦ信号の周波数帯域に応じて、前記ΔΣ変調器の量子化雑音阻止帯域を変更するための制御を行う
請求項９記載のＲＦ信号伝送装置。
【請求項１１】
前記入力部にＲＦ信号として入力可能であるコンテンツのリストを保持する記憶部を更に備え、
前記ΔΣ変調器は、取得した送信要求情報が示すコンテンツが前記リストに含まれている場合に、前記ΔΣ変調を実行する
請求項１０記載のＲＦ信号伝送装置。
【請求項１２】
前記制御部は、停止要求情報を取得可能であり、停止要求情報を取得したことに基づいて、前記送信部による前記量子化信号の送信を停止する制御を行う
請求項９〜１１のいずれか１項に記載のＲＦ信号伝送装置。
【請求項１３】
請求項１記載のＲＦ信号伝送装置と、
前記ＲＦ信号伝送装置から送信された量子化信号を、受信する受信装置と、
を備えていることを特徴とするＲＦ信号伝送システム。
【請求項１４】
前記受信装置は、前記ＲＦ信号伝送装置から送信された量子化信号を、ＲＦ信号として受信する受信機を含んでいる
請求項１３記載のＲＦ信号伝送システム。
【請求項１５】
請求項５又は６記載のＲＦ信号伝送装置と、
前記出力端子から出力されたＲＦ信号を受信する受信機と、
を備えていることを特徴とする受信装置。
【請求項１６】
請求項１０記載のＲＦ信号伝送装置に対して、送信を要求するコンテンツを特定する情報を含む送信要求情報を送信する処理を行う制御部と、
前記ＲＦ信号伝送装置から送信された前記量子化信号を、送信を要求した前記コンテンツのＲＦ信号として受信する受信機と、
を備えていることを特徴とする受信装置。
【請求項１７】
請求項１２記載のＲＦ信号伝送装置から送信された前記量子化信号を、ＲＦ信号として受信する受信機と、
前記ＲＦ信号伝送装置に対して、前記量子化信号の送信の停止を要求する停止要求情報を送信する処理を行う制御部と、を
を備えていることを特徴とする受信装置。
【発明の詳細な説明】
【技術分野】
【０００１】
本発明は、ＲＦ信号伝送装置、ＲＦ信号伝送システム、及び受信装置に関するものである。
【背景技術】
【０００２】
テレビ放送又はラジオ放送のための放送設備は、映像信号、音声信号等を搬送波に載せたＲＦ（Ｒａｄｉｏ  Ｆｒｅｑｕｅｎｃｙ）信号を、送信アンテナから電波として放射させる。テレビ受信機、ラジオ受信機等の放送を視聴するための無線放送の受信機は、放送設備から放射されたＲＦ信号を受信する。
【先行技術文献】
【非特許文献】
【０００３】
【非特許文献１】和保  孝雄、安田  明  監訳（原著者  Richard Schreier, Gabor C. Temes）ΔΣ型アナログ／デジタル変換器入門（Understanding Delta-Sigma Data Converters）、丸善株式会社、２００７
【発明の概要】
【発明が解決しようとする課題】
【０００４】
テレビ放送などによって提供されるコンテンツのＲＦ信号を受信アンテナで受信してから、ネットワークへ送信する場合、受信機で受信したＲＦ信号を復調し、さらに、コンテンツを構成する映像信号又は音声信号をデジタル化するなどの、様々な変換処理を行う必要がある。
【０００５】
しかし、テレビ受信機などの受信機は、あくまでもＲＦ信号の受信機であるため、ＲＦ信号に対して様々な変換処理が施された後のコンテンツ信号を受信することはできない。
したがって、例えば、ネットワークに送信されたテレビ放送のコンテンツそのままを、テレビ受信機にて視聴することは困難である。
【０００６】
そこで、本発明は、ＲＦ信号の受信機による受信が容易な形式で、ネットワークにコンテンツを送信できるようにすることを目的とする。
【課題を解決するための手段】
【０００７】
（１）本発明は、ＲＦ信号が外部から入力される入力部と、前記入力部に入力されたＲＦ信号に対してΔΣ変調を行って量子化信号を出力するΔΣ変調器と、前記ΔΣ変調器から出力された前記量子化信号を外部へ送信する送信部と、を備えていることを特徴とするＲＦ信号伝送装置である。
【０００８】
ＲＦ信号をΔΣ変調して得られた量子化信号（ΔΣ変調信号）は、デジタル信号であるが、ＲＦ信号のアナログ波形を表現したものでもある。
したがって、ＲＦ信号伝送装置から送信された量子化信号を、デジタル信号として、外部のネットワークに送信することが可能である。しかも、量子化信号を受信した受信機は、その量子化信号をＲＦ信号として受信することが可能である。
【０００９】
（２）前記入力部は、アンテナを介して受信したＲＦ信号を前記ΔΣ変調器に与える入力系を含むのが好ましい。この場合、アンテナを介して受信したＲＦ信号をΔΣ変調器によって量子化信号にすることができる。
【００１０】
（３）前記入力部は、他のＲＦ信号伝送装置から受信した前記量子化信号をＲＦ信号として前記ΔΣ変調器に与える入力系を含むのが好ましい。この場合、他のＲＦ信号伝送装置から受信した前記量子化信号を、ＲＦ信号として取得し、そのＲＦ信号をΔΣ変調器によって再び量子化信号にすることができる。
【００１１】
（４）前記ΔΣ変調器に与えられるＲＦ信号を切り替える入力切替部を更に備え、前記入力部は、アンテナを介してＲＦ信号が入力される第１入力系と、他のＲＦ信号伝送装置から送信された前記量子化信号がＲＦ信号として入力される第２入力系と、を含み、前記入力切替部は、前記第１入力系に入力されたＲＦ信号及び前記第２入力系に入力されたＲＦ信号を、選択的に前記ΔΣ変調器に与えるのが好ましい。第１入力系からのＲＦ信号と第２入力系からのＲＦ信号とを選択的にΔΣ変調器に与えることができる。
【００１２】
（５）前記入力部に入力されたＲＦ信号を、ＲＦ信号を受信する受信機に対して出力する出力端子を更に備えているのが好ましい。この場合、入力されたＲＦ信号を、受信機に対して出力することができる。
【００１３】
（６）前記出力端子から出力されるＲＦ信号を切り替える出力切替部を更に備え、前記入力部は、アンテナを介してＲＦ信号が入力される第１入力系と、他のＲＦ信号伝送装置から送信された前記量子化信号がＲＦ信号として入力される第２入力系とを、含み、前記出力切替部は、前記第１入力系に入力されたＲＦ信号及び前記第２入力系に入力されたＲＦ信号を、選択的に前記出力端子に与えるのが好ましい。この場合、第１入力系からのＲＦ信号と第２入力系からのＲＦ信号とを選択的に出力端子に与えることができる。
【００１４】
（７）前記入力部に入力されたＲＦ信号をＡＤ変換するＡＤ変換器を更に備え、前記ΔΣ変調器には、前記ＡＤ変換器から出力されたデジタルＲＦ信号が与えられるのが好ましい。この場合、ΔΣ変調器には、デジタルＲＦ信号が与えられる。
【００１５】
（８）前記入力部に入力されたＲＦ信号の周波数変換を行う周波数変換部を更に備え、前記周波数変換部は、周波数変換されたＲＦ信号を前記ΔΣ変調器に与えるのが好ましい。この場合、入力されたＲＦ信号を周波数変換することができる。
【００１６】
（９）前記ΔΣ変調器を制御する制御部を更に備え、前記ΔΣ変調器は、量子化雑音阻止帯域を変更可能に構成され、前記制御部は、前記ΔΣ変調器の量子化雑音阻止帯域を変更するための制御を行うのが好ましい。この場合、ΔΣ変調器に入力されるＲＦ信号の周波数が複数あっても、ΔΣ変調を行うことができる。
【００１７】
（１０）前記制御部は、コンテンツを特定することができる情報を含む送信要求情報を取得可能であり、取得した送信要求情報が示すコンテンツのＲＦ信号に対してΔΣ変調が行われるように、前記コンテンツのＲＦ信号の周波数帯域に応じて、前記ΔΣ変調器の量子化雑音阻止帯域を変更するための制御を行うのが好ましい。この場合、送信要求情報が示すコンテンツのＲＦ信号の周波数帯域にあわせて、ΔΣ変調器の量子化雑音阻止帯域が変更される。
【００１８】
（１１）前記入力部にＲＦ信号として入力可能であるコンテンツのリストを保持する記憶部を更に備え、前記ΔΣ変調器は、取得した送信要求情報が示すコンテンツが前記リストに含まれている場合に、前記ΔΣ変調を実行するのが好ましい。この場合、送信要求情報が示すコンテンツがコンテンツリストに含まれていれば、ΔΣ変調が実行される。
【００１９】
（１２）前記制御部は、停止要求情報を取得可能であり、停止要求情報を取得したことに基づいて、前記送信部による前記量子化信号の送信を停止する制御を行うのが好ましい。この場合、停止要求情報を取得すると、送信部による量子化信号の送信が停止される。
【００２０】
（１３）他の観点からみた本発明は、前記（１）項に記載のＲＦ信号伝送装置と、前記ＲＦ信号伝送装置から送信された量子化信号を、受信する受信装置と、を備えていることを特徴とするＲＦ信号伝送システムである。
【００２１】
（１４）前記受信装置は、前記ＲＦ信号伝送装置から送信された量子化信号を、ＲＦ信号として受信する受信機を含んでいるのが好ましい。
【００２２】
（１５）他の観点からみた本発明は、前記（５）又は（６）記載のＲＦ信号伝送装置と、前記出力端子から出力されたＲＦ信号を受信する受信機と、を備えていることを特徴とする受信装置である。
【００２３】
（１６）他の観点からみた本発明は、前記（１０）記載のＲＦ信号伝送装置に対して、送信を要求するコンテンツを特定する情報を含む送信要求情報を送信する処理を行う制御部と、前記ＲＦ信号伝送装置から送信された前記量子化信号を、送信を要求した前記コンテンツのＲＦ信号として受信する受信機と、を備えていることを特徴とする受信装置である。
【００２４】
（１７）他の観点からみた本発明は、前記（１２）記載のＲＦ信号伝送装置から送信された前記量子化信号を、ＲＦ信号として受信する受信機と、前記ＲＦ信号伝送装置に対して、前記量子化信号の送信の停止を要求する停止要求情報を送信する処理を行う制御部と、を備えていることを特徴とする受信装置である。
【発明の効果】
【００２５】
本発明によれば、ＲＦ信号伝送装置から送信された量子化信号を、デジタル信号として、外部に送信することが可能である。
【図面の簡単な説明】
【００２６】
【図１】実施形態に係るＲＦ信号伝送システムの構成図である。
【図２】ＲＦ信号伝送装置を示す機能ブロック図である。
【図３】番組情報リストを示す図である。
【図４】ＲＦ信号伝送システムの動作を示すシーケンス図である。
【図５】ＲＦ信号伝送装置の状態を示す図である。
【図６】中継装置として構成されたＲＦ信号伝送装置の機能ブロック図である。
【図７】受信機能に特化したＲＦ信号伝送装置の機能ブロック図である。
【図８】ΔΣ変調器の構成図である。
【図９】１次ローパス型ΔΣ変調器である。
【図１０】（ａ）はローパス型ΔΣ変調器の出力スペクトルであり、（ｂ）はバンドパス型ΔΣ変調器の出力スペクトルである。
【図１１】（ａ）はローパス型ΔΣ変調器の出力スペクトルであり、（ｂ）はバンドパス型ΔΣ変調器の出力スペクトルである。
【図１２】（ａ）はローパス型ΔΣ変調器の出力スペクトルであり、（ｂ）はバンドパス型ΔΣ変調器の出力スペクトルである。
【図１３】（ａ）はローパス型ΔΣ変調器の動作を示す極座標であり、（ｂ）はバンドパス型ΔΣ変調器の動作を示す極座標である。
【図１４】１次ローパス型ΔΣ変調器から変換して得られた２次バンドパス型ΔΣ変調器である。
【図１５】ＣＲＦＢ構造のローパス型ΔΣ変調器である。
【図１６】ＣＲＦＢ構造のローパス型ΔΣ変調器から変換して得られたバンドパス型ΔΣ変調器である。
【図１７】θ０＝π／４用のバンドパス型ΔΣ変調器の出力スペクトラム波形図である。
【図１８】θ０＝３π／４用のバンドパス型ΔΣ変調器の出力スペクトラム波形図である。
【図１９】θ０＝５π／４用のバンドパス型ΔΣ変調器の出力スペクトラム波形図である。
【図２０】θ０＝７π／４用のバンドパス型ΔΣ変調器の出力スペクトラム波形図である。
【図２１】帯域拡張部を有するＲＦ信号伝送装置の構成図である。
【図２２】拡張された信号帯域の説明図である。
【図２３】拡張された信号帯域とバンドパスフィルタの通過特性を示す図である。
【図２４】主信号成分と高調波成分を示す図である。
【発明を実施するための形態】
【００２７】
以下、本発明の好ましい実施形態について図面を参照しながら説明する。
【００２８】
［１．ＲＦ信号伝送システム］
図１は、ＲＦ信号伝送システム１の全体構成を示す図である。実施形態に係るＲＦ信号伝送システム１は、複数の送受信装置９，９を有している。送受信装置９，９それぞれは、ＲＦ信号伝送装置３００を有している。複数のＲＦ信号伝送装置３００は、信号伝送路（インターネット）４を介して互いに接続されている。
【００２９】
このＲＦ信号伝送システム１では、それぞれのＲＦ信号伝送装置３００が、他の任意のＲＦ信号伝送装置３００との間で、無線放送サービスのためのＲＦ信号を、信号伝送路４を介して伝送することができる。
なお、図１では、送受信装置９，９を２個しか示していないが、送受信装置９，９は多数設置される。
【００３０】
ＲＦ信号伝送装置３００に入力されるＲＦ信号は、例えば、放送設備２が備えるアンテナ２ｃから送信された無線のＲＦ信号である。放送設備２は、例えば、地上デジタルテレビ放送のための放送用ＲＦ信号を送信する放送設備である。放送設備２より送信された無線のＲＦ信号は、ＲＦ信号伝送装置３００が備えるアンテナ３２０によって受信される。
ＲＦ信号伝送装置３００は、アンテナ３２０にて受信したＲＦ信号を、他のＲＦ信号伝送装置３００に送信することができる。
【００３１】
放送設備２は、放送コンテンツの映像信号、音声信号及び番組情報を含む信号を、搬送波で変調することにより、ＲＦ信号へ変換する。
ここで、番組情報は、放送される番組に関する各種情報（番組情報）である。例えば、番組情報は、番組（コンテンツ）を識別するためのＩＤ（番組ＩＤ）、番組のチャンネル、番組のタイトル、番組の放送日時、番組内容を説明するテキスト等を含む。
【００３２】
ＲＦ信号伝送装置３００は、外部から入力されたＲＦ信号にΔΣ変調を適用して量子化信号を生成する機能を備える。生成された量子化信号は、生成元のＲＦ信号伝送装置３００から、他のＲＦ信号伝送装置３００へ、信号伝送路４（光伝送路４ｅ、４ｆを含む）を介して送信される。
【００３３】
また、複数のＲＦ信号伝送装置３００それぞれは、アンテナ３２０で受信したＲＦ信号と、他のＲＦ信号伝送装置３００から受信した量子化信号を、テレビ受信機７Ｂなど、外部の受信機７Ｂへ出力する機能を備える。
【００３４】
量子化信号は、デジタル信号であるが、アナログＲＦ信号のアナログ波形を表現している。このため、ＲＦ信号伝送装置３００からテレビ受信機７Ｂに対して、量子化信号が与えられても、受信機７Ｂは、アンテナ３２０で受信したＲＦ信号が与えられた場合と同様に、受信処理を行える。
【００３５】
つまり、送信側の送受信装置（送信装置）９から受信側の送受信装置（受信装置）９への量子化信号の伝送は、実質的に、送信側の送受信装置（送信装置）９から受信側の送受信装置（受信装置）９への放送用コンテンツのＲＦ信号の伝送となっている。
各ＲＦ信号伝送装置３００は、信号伝送路４を介して量子化信号を他のＲＦ信号伝送装置３００に送信する機能と、信号伝送路４を介して他のＲＦ信号伝送装置３００から量子化信号を受信する機能の両方を備える。
【００３６】
例えば、ある地域Ｂ１では、放送設備２から送信されたＲＦ信号を、ＲＦ信号伝送装置３００に接続されたアンテナ３２０により受信できるが、別の地域Ｂ２では、電波障害等の理由のため、ＲＦ信号伝送装置３００がＲＦ信号をアンテナ３２０により受信できない場合がある。
本実施形態に係るＲＦ信号伝送システム１は、このような場合において有効である。つまり、ＲＦ信号伝送装置３００は、自己のアンテナ３２０が受信できないＲＦ信号を、他のＲＦ信号伝送装置３００を介して取得することができる。
【００３７】
なお、ＲＦ信号伝送システム１は、電波障害に対する対策以外に、例えば、放送施設２からの電波が届く範囲外にいるユーザへの放送用コンテンツの提供に使用されてもよい。
【００３８】
［２．ＲＦ信号伝送装置］
図２に示すようにＲＦ信号伝送装置３００は、制御部３０１と、アンテナが接続されるアンテナ端子（入力端子）３０２と、第１周波数変換器３０３と、第１切替部（入力切替部）３０４と、ＡＤ変換器３０５と、第２周波数変換器３０６と、ΔΣ変調器３０７と、送受信部３０８と、光リンク（Ｅ／Ｏ，Ｏ／Ｅ）３０９と、バッファ３１１と、出力部３１２と、テレビ出力用の出力端子３１３と、第２切替部（出力切替部）３１４と、リモコン受信部３１５と、アナログフィルタ３１６と、を備える。なお、光リンク３０９は、ＲＦ信号伝送装置３００とは別の装置として設けられても良い。
【００３９】
制御部３０１は、ＲＦ信号伝送装置３００を構成する各部を制御するためのものである。制御部３０１の機能については、後述する。
【００４０】
アンテナ端子３０２は、ＲＦ信号の外部入力端子であり、例えば、同軸ケーブルが接続される端子として構成される。アンテナ端子３０２は、アンテナ３２０により受信されたＲＦ信号を、ＲＦ信号伝送装置３００内に入力させる。アンテナ端子３０２は、ＲＦ信号が外部から入力される入力部（の一部）を構成する。
【００４１】
第１周波数変換器３０３及び第２周波数変換器３０６は、入力された信号の周波数変換を行う。第１周波数変換器３０３は、ＲＦ信号の周波数ｆ１を、所定の中間周波数ｆ３の信号（ＩＦ信号）へ変換（ダウンコンバート）する。
第１周波数変換器３０３から出力された信号は、ＡＤ変換器３０５へ与えられる。ＡＤ変換器３０５は、第１周波数変換器３０３から出力された信号を、ＡＤ変換し、デジタル信号を出力する。
第２周波数変換器３０６は、ＡＤ変換器３０５から出力されたデジタル信号の周波数ｆ３を、目的周波数ｆ２の信号へ変換（アップコンバート）する。第２周波数変換器３０６から出力された信号（デジタルＲＦ信号）は、ΔΣ変調器３０７に与えられる。
【００４２】
第２周波数変換器３０６から出力される信号の周波数ｆ２が、第１周波数変換器３０３に入力された信号の周波数ｆ１に等しい場合、外部から入力されたＲＦ信号は、同じ周波数のままで、ΔΣ変調器３０７に入力される。
【００４３】
第２周波数変換器３０６から出力される信号の周波数ｆ２は、第１周波数変換器３０３に入力された信号の周波数ｆ２と異なっていても良い。ｆ１とｆ２とが異なる場合、第１周波数変換器３０３及び第２周波数変換器３０６は、外部から入力されたＲＦ信号の周波数変換部（チャネル変換部）として機能する。
【００４４】
第１周波数変換器３０３及び第２周波数変換器３０６は、制御部３０１によって制御される。制御部３０１は、外部から入力されたＲＦ信号の周波数ｆ１を変更せずに、ΔΣ変調器３０７に与えたり、任意の周波数ｆ２に変更して、ΔΣ変調器３０７に与えたりすることができる。
【００４５】
制御部３０１は、外部から入力されるＲＦ信号の周波数（希望入力周波数）ｆ１に応じて、第１周波数変換器３０３を制御し、周波数ｆ１を所定の中間周波数ｆ３に変換させる。また、制御部３０１は、ΔΣ変調器３０７に入力すべきＲＦ信号の周波数（希望出力周波数）ｆ２に応じて、第２周波数変換器３０６を制御し、所定の中間周波数ｆ３を所望の周波数ｆ２に変換させる。
【００４６】
ＡＤ変換器３０５は、入力されたアナログ信号をデジタル信号に変換するためのものであるが、このＡＤ変換器３０５を、ダウンコンバートを行う第１周波数変換器３０３とアップコンバートを行う第２周波数変換器３０６の間に設けることで、ＡＤ変換器３０５の動作速度を低く抑えることができる。
なお、ＡＤ変換器３０５の動作速度を低く抑える必要がない場合には、ＲＦ信号の周波数変換部を一つの周波数変換部３０３，３０６で構成してもよい。
【００４７】
第１切替部（入力切替部）３０４は、ΔΣ変調器３０７側へ与えられるＲＦ信号（入力ＲＦ信号）を切り替えるためのものである。
ＲＦ信号伝送装置３００としての入力部は、前述のアンテナ端子３０２からＲＦ信号が入力される前記第１入力系のほか、他のＲＦ信号伝送装置３００から送信された量子化信号がＲＦ信号として入力される第２入力系を含んでいる。
【００４８】
第２入力系は、他のＲＦ信号伝送装置３００から送信された量子化信号を受信する送受信部３０８から、バッファ３１１、出力部３１２、及びアナログフィルタ３１６を介して、第１切替部３０４に至る入力系である。
【００４９】
第１切替部（入力切替部）３０４は、第１入力系から入力されたＲＦ信号及び第２入力系から入力されたＲＦ信号のうちの一方を、選択的に、（第１周波数変換器３０３、ＡＤ変換器３０５、第２周波数変換器３０６を介して、）ΔΣ変調器３０７に与える。
第１切替部３０４による入力系の切り替えは、制御部３０１によって制御される。
【００５０】
第１入力系又は第２入力系から入力されたＲＦ信号は、ΔΣ変調器３０７に与えられる。本実施形態のΔΣ変調器３０７は、バンドパス型ΔΣ変調器として構成されているが、ローパス型ΔΣ変調器であってもよい。
【００５１】
ΔΣ変調器３０７は、入力されたＲＦ信号に対して、ΔΣ変調を行って１ｂｉｔの量子化信号（パルス信号）を出力する。
バンドパス型ΔΣ変調器３０７は、量子化雑音阻止帯域（バンドパス型ΔΣ変調器３０７の中心周波数）を変更可能に構成されている。ΔΣ変調器３０７の量子化雑音阻止帯域は、制御部３０１によって制御される。バンドパス型ΔΣ変調器３０７の量子化雑音阻止帯域は、バンドパス型ΔΣ変調器３０７に入力されるＲＦ信号の周波数帯域を含む周波数帯域となるように制御部３０１によって調整される（詳細は後述）。
なお、ΔΣ変調器２５から出力される量子化信号は、１ｂｉｔである必要はない。ΔΣ変調器２５から出力される量子化信号は、ΔΣ変調器２５に入力されたデジタルデータのビット数よりも少なければよい。
【００５２】
ΔΣ変調器３０７から出力された量子化信号（ΔΣ変調信号）は、送受信部（送信部）３０８によって、信号伝送路４へ送信される。
送受信部３０８は、デジタル化されたＲＦ信号としての量子化信号（ΔΣ変調信号）を、パケット化し、パケットデータにして送信する。送受信部３０８は、パケット再送など、パケット通信に必要な処理を行う。
【００５３】
また、送受信部３０８は、量子化信号の受信側（他のＲＦ信号伝送装置）に対して、必要な情報も、パケットデータに含めて送信する。送受信部３０８が送信する情報には、量子化信号の受信側（他のＲＦ信号伝送装置）が、受信した量子化信号を、ΔΣ変調器３０７が出力した量子化信号（パルス状のΔΣ変調信号）と同じ波形（パルス波形）の信号として再現するための情報（再現情報）が含まれる。
【００５４】
ΔΣ変調器３０７は、サンプリング周波数ｆｓに応じたレートで、パルス状の量子化信号（ΔΣ変調信号）を出力する。このような量子化信号が示す量子化値だけを、単純に、パケットデータにすると、パケットデータには、量子化値を示すビット列が含まれるだけで、量子化信号のレートに関する情報が欠落する。そこで、送受信部３０８は、パケット化された量子化信号の受信側（他のＲＦ信号伝送装置）において、量子化値を示すビット列から、送信側のＲＦ信号伝送装置３００のΣ変調器３０７が出力したパルス状のΔΣ変調信号を再現できるように、パケットデータに、再現情報を含めて送信する。
【００５５】
再現情報には、例えば、ΔΣ変調器２５におけるサンプリング速度（サンプリング周波数）を示す情報（サンプリング速度情報）が含まれる。量子化信号が示す量子化値を、サンプリング速度に対応した速度でパルス化すれば、ΔΣ変調器３０７が出力したパルス状のΔΣ変調信号を再現することができる。
また、量子化信号が、多ビットである場合、再現情報には、量子化信号のビット数を示す情報を含めても良い。
【００５６】
なお、再現情報が、受信側の装置において既知の場合には、送受信部３０８は、再現情報を送信する必要はない。
また、デジタル化されたＲＦ信号としての量子化信号が、パケット化されずに、１ｂｉｔ又は多ｂｉｔのパルス信号としての信号波形を維持したまま、信号伝送路４ｅに送信される場合、受信側にて信号の再現の必要がないため、再現情報の送信は、必要とされない。
【００５７】
送受信部３０８から出力されたパケットデータは、光リンク３０９によって、光信号に変換され、信号伝送路４ｅ，４ｆへ送出される。光伝送路４ｅ，４ｆは、インターネット４に接続されている。つまり、パケットデータは、信号伝送路であるインターネット４を介して、伝送される。
【００５８】
本実施形態のＲＦ信号伝送システム１では、デジタル化されたＲＦ信号としての量子化信号が、パケット化されているため、インターネット４のようにパケット通信を行う通信ネットワークを信号伝送路として活用できる。
【００５９】
デジタル化されたＲＦ信号の伝送を、専用線として構成された信号伝送路での伝送、又は、回線交換方式の信号伝送路での伝送、によって行っても良いが、この場合、信号伝送路を占有して通信が行われるため、高コストになりやすい。
これに対し、インターネット４のようにパケット通信を行う通信ネットワークを信号伝送路として活用でき、低コスト化が可能である。
しかも、ＲＦ信号をΔΣ変調（特に、バンドパス型ΔΣ変調）によってデジタル化したため、比較的少ない情報量となっていることからも、パケット通信に適したものとなっている。
なお、パケット化が不要な信号伝送路（専用線など）を用いる場合、送受信部３０８におけるパケット化の機能は省略できる。
【００６０】
パケット通信の場合、信号伝送路４の伝送速度は保証されないため、ΔΣ変調器３０７から出力された量子化信号を、パルス信号としての信号波形を維持したまま、信号伝送路４に送信することはできないが、前述の再現情報の交換によって、受信側のＲＦ信号伝送装置（受信装置）３００は、パケット化された量子化信号からでも、送信側のΣ変調器３０７が出力したパルス状のΔΣ変調信号を再現することが容易となっている。
【００６１】
また、パケット通信ではなく、信号伝送路を占有した通信であっても、信号伝送路４の伝送速度が、送信側のΔΣ変調器３０７から出力された量子化信号をそのまま伝送するのに十分でない場合（ΔΣ変調器３０７のサンプリング速度（１／ｆｓ）よりも信号伝送路４の伝送速度が低い場合）、量子化信号を、信号伝送路４で伝送できる程度に低速の信号に変換する必要がある。この場合であっても、前述の再現情報の交換によって、受信側のＲＦ信号伝送装置３００は、低速に変換された量子化信号からでも、送信側のΣ変調器３０７が出力したままの量子化信号を再現することが容易となっている。
【００６２】
他のＲＦ信号伝送装置３００から送信された量子化信号は、（光リンク３０９を介して）送受信部（受信部）３０８により受信される。
光リンク３０９は、信号伝送路４に接続された光伝送路４ｅ，４ｆから送信されてきた光信号（パケットデータ；パケット化された量子化信号）を、電気信号に変換して送受信部３０８へ出力する。
【００６３】
送受信部３０８は、電気信号に変換されたパケットデータのデパケット化を行い、パケットデータから、量子化信号（量子化信号の量子化値）、及びその他の情報（再現情報）を抽出する。
【００６４】
送受信部３０８にて受信された量子化信号は、ＦＩＦＯ（Ｆｉｒｓｔ  Ｉｎ  Ｆｉｒｓｔ  Ｏｕｔ）型のバッファ３１１に一時的に保存される。受信部３２にて受信した再現情報（サンプリング速度情報）は、出力部３１２に与えられる。
【００６５】
受信した量子化信号を、バッファ３１１にて一時的に保存してから出力することで、信号伝送路の伝送速度が一定でなかったり、パケット欠落などがあったりしても、量子化信号を、切れ目なく、所定のレート（再現情報が示すサンプリング速度に応じたレート）で連続的に出力することができる。つまり、バッファ３１１を設けていることで、パケット通信で量子化信号を送信する場合や、信号伝送路４に速度保証がない場合であっても、対応できる。なお、信号伝送路４の伝送速度が、十分に高速であれば、バッファ３１１を省略することもできる。
【００６６】
出力部３１２は、バッファ３１１に保存された量子化信号（量子化信号の量子化値）を、所定のレート（再現情報が示すサンプリング速度に応じたレート）のパルス信号として、出力する。
つまり、出力部３１２から出力された量子化信号は、他のＲＦ信号伝送装置３００のΔΣ変調器３０７から出力された量子化信号の信号波形を再現したものとなる。
なお、再現情報は、送受信部３０８にて受信されたものを用いる必要はなく、ＲＦ信号伝送装置３００において予め設定されていてもよい。
【００６７】
他のＲＦ信号伝送装置３００のΔΣ変調器３０７により出力された量子化信号は、ＲＦ信号の搬送波周波数付近の周波数において、ＲＦ信号としての情報を保持している。したがって、出力部３１２から出力された量子化信号も、ＲＦ信号としての情報を保持している。
【００６８】
量子化信号（ΔΣ変調信号）は、ΔΣ変調器３０７においてノイズシェイピングされた量子化雑音を有しており、この量子化雑音を除去してＲＦ信号を取り出したい場合には、ＲＦ信号の搬送波周波数付近の周波数を通過させるアナログフィルタ（バンドパスフィルタ）３１６を用いる。ただし、量子化雑音が問題とならない場合、アナログフィルタ３１６は省略できる。
【００６９】
出力部３１２から出力された量子化信号は、前述のように、外部入力のＲＦ信号（第２入力系から入力されたＲＦ信号）として、ΔΣ変調器３０７側に与られ得るほか、第２切替部３１４を介して、出力端子３１３から出力され得る。
出力端子３１３は、例えば、同軸ケーブルが接続される端子として構成される。出力端子３１３には、テレビ受信機（ＲＦ信号を受信する受信機）７Ｂが接続される。
【００７０】
テレビ受信機７Ｂでは、アンテナ３２０を介して受信される通常のＲＦ信号を受信することができるとともに、出力部３１２から出力された量子化信号をＲＦ信号として受信することもできる。つまり、テレビ受信機７Ｂは、ＲＦ信号伝送システム１を介して他のＲＦ信号伝送装置３００から伝送された量子化信号（ＲＦ信号）を、無線放送として送信されたＲＦ信号と同様に受信できる。
【００７１】
出力端子３１３から出力されるＲＦ信号（出力ＲＦ信号）は、第２切替部（出力切替部）３１４によって切り替えられる。
第２切替部３１４は、アンテナ３２０によって受信されたＲＦ信号（第１入力系から入力されたＲＦ信号）と、出力部３１２から出力された量子化信号（ＲＦ信号；第２入力系から入力されたＲＦ信号）と、を選択的に、出力端子３１３へ与える。
第２切替部３１４による、出力されるＲＦ信号の切り替えは、制御部３０１によって制御される。
【００７２】
制御部３０１は、ユーザによる操作に応じて出力端子３１３から出力される信号を切り替えるよう、第２切替部３１４を制御する。
また、混信のおそれがない場合には、アンテナ３２０からのＲＦ信号と、出力部３１２からのＲＦ信号（量子化信号）とを、ともに、テレビ受信機７Ｂに与えても良い。
【００７３】
なお、ＲＦ信号伝送装置３００を、他のＲＦ信号伝送装置３００との間におけるＲＦ信号の伝送（送信又は受信）に用いるだけで、アンテナ３２０から受信したＲＦ信号を入力する機能、又は、入力されたＲＦ信号を出力端子から出力する機能を有していなくても良い。これらの場合、第１切替部３０４及び第２切替部３１４は省略できる。
【００７４】
また、制御部３０１は、テレビ受信機７Ｂと情報伝送可能に接続されており、ＲＦ信号以外の必要な情報を、テレビ受信機７Ｂとの間で交換が可能となっている。
例えば、制御部３０１は、テレビ受信機７Ｂが受信したＲＦ信号から抽出した番組情報
のリストを、テレビ受信機７Ｂから取得する。制御部３０１は、取得した番組情報のリストを、記憶部３０１ｂに記憶させる。なお、番組情報は、外部のテレビ受信機７Ｂから取得する必要はなく、ＲＦ信号伝送装置３００内部に受信機７Ｂの機能を具備させておき、入力されたＲＦ信号から、直接、番組情報を抽出してもよい。
【００７５】
制御部３０１は、送受信部３０８および信号伝送路４を介して、記憶部３０１ｂに記憶した番組情報リストを他のＲＦ信号伝送装置３００へ送信する処理を実行することができる。
また、制御部３０１は、他のＲＦ信号伝送装置３００から、当該他のＲＦ信号伝送装置３００が送信可能な番組情報のリストを、当該他のＲＦ信号伝送装置３００から取得する処理を実行することができる。
制御部３０１は、他のＲＦ信号伝送装置３００から取得した番組情報リストを、記憶部３０１ｂに記憶させることができる。
【００７６】
制御部３０１は、記憶部３０１ｂに記憶されている番組情報リストを、ＲＦ信号伝送装置３００に接続されたテレビ受信機７Ｂに表示させるための番組一覧画面を生成することができる。ユーザは、テレビ受信機７Ｂに表示された番組一覧画面をみて、ＲＦ信号伝送装置３００が信号伝送路４を介して受信することができる番組を選択する操作を行うことができる。ユーザによって、番組が選択されると、制御部３０１は、選択された番組のＲＦ信号の送信要求情報を生成し、送受信部３０８を介して送信する処理を行う。
【００７７】
リモコン受信部３１５は、ユーザによる操作信号を受信するためのものであり、赤外線を受光する赤外線センサを備える。リモコン受信部３１５は、ＲＦ信号伝送装置を操作するためリモコンから出力される操作信号（赤外線通信信号）を受信し、受信した信号を制御部３０１へ出力する。リモコン受信部３１５は、赤外線の他、可視光や電磁波による信号を受信するよう構成されてもよい。
【００７８】
なお、本実施形態では、ＲＦ信号伝送装置３００とテレビ受信機７Ｂは、それぞれが別体の装置として構成されている。そして、同軸ケーブルなどのケーブルによってテレビ出力用の出力端子３１３とアンテナ端子７Ｂ−１とが接続されることによって、一つの受信装置９が構成されている。なお、ＲＦ信号伝送装置３００がテレビ受信機７Ｂに内蔵され、一体型の装置として受信装置９が構成されてもよい。一体型の受信装置９として構成することにより、従来型テレビと同様な取り扱いで高機能化を図る事ができる。
【００７９】
図３は、前述の番組情報リストを示している。
番組情報は、それぞれのＲＦ信号伝送装置３００がアンテナ３２０にて受信可能な番組（コンテンツ）、つまり、ＲＦ信号伝送装置３００がＲＦ信号を量子化信号として出力することができる番組（コンテンツ）を示す。
番組情報は、番組ＩＤ、番組のチャンネル（周波数チャンネル）、番組のタイトル、番組の放送日時、及び装置ＩＤを含む。
【００８０】
図３に例示された番組情報リスト（コンテンツリスト）は、例えば、番組ＩＤ＝「１００」、番組のチャンネル＝「３」、番組のタイトル＝「９時のニュース」、日時＝「２１：００〜２１：５９」なる番組情報を含む。つまり、この番組情報によれば、番組ＩＤ「１００」に対応する番組のタイトルが「９時のニュース」であり、そのチャンネルは「３」であり、その放送時間が「２１：００〜２１：５９」である。装置ＩＤは、対応する番組ＩＤの番組をアンテナ３２０にて受信可能なＲＦ信号伝送装置３００を特定するＩＤである。
【００８１】
なお、番組情報は、番組内容、番組の放送地域、二次利用の制限に係る情報等、他の情報を含んでも良い。
【００８２】
［３．ＲＦ信号伝送処理］
図４は、ＲＦ信号伝送システム１によるＲＦ信号伝送の処理手順を示している。図４では、ＲＦ信号（量子化信号）を受信するＲＦ信号伝送装置３００を「ＲＦ信号伝送装置３００ａ」とし、ＲＦ信号（量子化信号）を送信するＲＦ信号伝送装置３００を「ＲＦ信号伝送装置３００ｂ」とし、その他のＲＦ信号伝送装置３００を「ＲＦ信号伝送装置３００ｃ」とする。
【００８３】
図４の処理手順に先立って、各ＲＦ信号伝送装置３００（３００ａ，３００ｂ，３００ｃ）の制御部３０１は、周期的に又は必要に応じて、自装置３００が受信可能な番組情報を取得又は生成する。ＲＦ信号伝送装置３００によって新たに番組情報が取得又は生成されると、当該番組情報が、ＲＦ信号伝送装置３００の記憶部３０１ｂに記憶される。
【００８４】
ＲＦ信号伝送装置３００ａのユーザが、リモコンなどの操作装置によって、番組情報の閲覧のための操作を行うと、そのＲＦ信号伝送装置３００ａの制御部３０１は、リモコン受信部３１５から入力される信号に基づき、番組情報リストの要求情報を生成して、その要求情報を、他のＲＦ信号伝送装置３００ｂ，３００ｃへ送信する処理を行う（ステップＳ１）。
【００８５】
番組情報リストの要求を受信したＲＦ信号伝送装置３００ｂ，３００ｃの制御部３０１は、記憶部３０１ｂに記憶されている番組情報リストを、要求元のＲＦ信号伝送装置３００ａへ送信する（ステップＳ２−１，Ｓ２−２）。
【００８６】
番組情報リストを受信したＲＦ信号伝送装置３００ａの制御部３０１は、受信した番組情報リストの中からユーザが視聴することを望む番組を選択できるよう、番組情報リストの内容を表示する番組一覧画面を生成する。生成された番組一覧画面は、テレビ受信機７Ｂ又は図示しない操作装置（リモコン）に表示される。
【００８７】
ＲＦ信号伝送装置３００ａの制御部３０１は、番組一覧画面が表示されている状態において、番組ＩＤと送信を希望する希望チャンネルを選択する操作（リモコンによる操作）を受け付ける。
ユーザからの番組ＩＤと希望チャンネルの選択を受け付けた後、ＲＦ信号伝送装置３００ａの制御部３０１は、送信要求情報を生成する。
送信要求情報は、ＲＦ信号伝送装置３００ａが、他のＲＦ信号伝送装置３００ｂに対して、番組（コンテンツ）の送信を要求するためのものである。送信要求情報は、番組ＩＤ（番組（コンテンツ）を特定する情報）、送信時の希望チャンネル（送信時の希望周波数ｆ２）、及び要求元ＩＤを含む。
【００８８】
送信要求情報に含まれる番組ＩＤは、要求元のＲＦ信号伝送装置３００へ送信されることが求められている番組のＩＤである。
送信要求情報に含まれる希望チャンネル（希望周波数ｆ２）は、ＲＦ信号送信側のＲＦ信号伝送装置３００ｂからＲＦ信号（量子化信号）をＲＦ信号伝送装置３００ａへ送信する際のＲＦ信号のチャネル（周波数帯域）である。
希望チャンネル（周波数ｆ２）は、送信側のＲＦ信号伝送装置３００ｂの入力部に入力されたＲＦ信号のチャンネル（周波数ｆ１）と異なっていても良く、任意のチャンネルを設定できる。
送信要求情報に含まれる要求元ＩＤは、要求元（受信側）のＲＦ信号伝送装置３００ａを特定するためのＩＤ（ＭＡＣアドレス、ＩＰアドレスなど）である。
【００８９】
送信要求情報を送信したＲＦ信号伝送装置３００ａの制御部３０１は、第２切替部３１４を、出力部３１２側に接続させる（図５参照）。つまり、ＲＦ信号が第２入力系から入力される状態となる。これにより、送信要求情報を送信したＲＦ信号伝送装置３００ａは、図５に示すように、他のＲＦ信号伝送装置３００ｂから送信された量子化信号を受信して、その量子化信号をＲＦ信号として、テレビ受信機７Ｂに出力することができる状態となる。
【００９０】
ＲＦ信号伝送装置３００ａが送信した送信要求情報は、他のＲＦ信号伝送装置３００ｂ，３００ｃによって受信される。送信要求情報を受信したＲＦ信号伝送装置３００ｂ，３００ｃは、送信要求情報に含まれる番組ＩＤが示す番組が、自装置３００ｂ，３００ｃのアンテナ３２０で受信可能な番組に含まれているか否かを判断する（ステップＳ４−１，Ｓ４−２）。この判断は、受信した送信要求情報に含まれる番組ＩＤが、記憶部３０１ｂに記憶されている番組リスト中に含まれているか否かによって行うことができる。
【００９１】
ここでは、ＲＦ信号伝送装置３００ｂには、受信した番組ＩＤが、記憶部３０１ｂに記憶されている番組リスト中に含まれており、受信した番組ＩＤが示す番組を、自装置３００ｂのアンテナ３２０にて受信可能であるものとする。一方、ＲＦ信号伝送装置３００ｃには、受信した番組ＩＤが、記憶部３０１ｂに記憶されている番組リスト中に含まれておらず、受信した番組ＩＤが示す番組は、自装置３００ｃのアンテナ３２０にて受信不能であるものとする。
したがって、ここでは、ＲＦ信号伝送装置３００ｂが、番組を送信する装置となる（ステップＳ４−１）。
【００９２】
なお、番組を送信するＲＦ信号伝送装置３００ｂは、受信側のＲＦ信号伝送装置３００ａにて決定し、番組を送信するＲＦ信号伝送装置３００ｂに対してのみ、送信要求情報を送信してもよい。
【００９３】
送信側の装置となったＲＦ信号伝送装置３００ｂは、アンテナ３２０により受信されたＲＦ信号にΔΣ変調を適用できるよう、第１切替部３０４をアンテナ３２０側へ接続させる（図２参照）。
【００９４】
第１切替部３０４がアンテナ３２０側へ接続された後、ＲＦ信号伝送装置３００ｂの制御部３０１は、送信要求情報に対応した量子化信号を生成するようΔΣ変調を開始する（ステップＳ５）。
すなわち、制御部３０１は、送信要求情報に含まれる番組ＩＤ及び希望チャネルに応じて、周波数変換器３０３、３０６、及びΔΣ変調器３０７のそれぞれに対する制御を行う。
【００９５】
具体的には、ステップＳ５における処理は、以下の通り実行される。
ＲＦ信号伝送装置３００ｂの制御部３０１は、受信した送信要求情報から、番組ＩＤ、希望チャネル（周波数ｆ２）、及び要求元ＩＤを抽出する。
【００９６】
制御部３０１は、抽出された番組ＩＤが示す番組が、放送設備２から送信されたときのＲＦ信号の周波数帯域（中心周波数ｆ１）を特定する。制御部３０１は、アンテナ３２０にて受信したアナログのＲＦ信号（中心周波数ｆ１）が、希望チャンネル（中心周波数ｆ２）のＲＦ信号に周波数変換されるように、周波数変換部３０３，３０６を制御する。
例えば、抽出された番組ＩＤが示す番組をアンテナ３２０で受信したときのチャンネル（周波数帯域）が「３」（中心周波数ｆ１）である場合に、希望チャンネルが「１」（中心周波数ｆ２）であれば、周波数変換部３０３，３０６によって、ＲＦ信号の周波数帯域がチャンネル＝３（中心周波数ｆ１）から、希望チャネル＝１（中心周波数ｆ２）に変換される。
【００９７】
ＲＦ信号伝送装置３００ｂのΔΣ変調器３０７は、第２周波数変換器３０６から出力されるデジタルのＲＦ信号（周波数ｆ２）に対して、ΔΣ変調を行い、量子化信号を出力する。
また、ＲＦ信号伝送装置３００ｂの制御部３０１は、ΔΣ変調器３０７に対し、その量子化雑音阻止帯域の中心周波数が周波数ｆ２となるように制御する。量子化雑音阻止帯域の中心周波数の変更の仕方については後述する。
【００９８】
ΔΣ変調器３０７から出力されている量子化信号は、パケット化され、抽出された要求元ＩＤにより特定される受信側のＲＦ信号伝送装置３００ａへ送信される。
このようにしてステップＳ５の処理が実行される。
【００９９】
なお、送信側のＲＦ信号伝送装置３００ｂの制御部３０１は、量子化信号がＲＦ信号伝送装置３００ｂから出力される間、停止要求情報を待ち受けるとともに、送信中の番組の放送時間が終了したか否かを判定する。
【０１００】
受信側のＲＦ信号伝送装置３００ａは、送信側のＲＦ信号伝送装置３００ｂから送信された量子化信号を、送受信部３０８にて受信する。送受信部３０８は、受信した量子化信号をデパケット化する。図５に示すように、受信した量子化信号は、バッファ３１１、出力部３１２、アナログフィルタ３１６、第２切替部３１４及び出力端子３１３を介して、ＲＦ信号として、テレビ受信機７Ｂへ出力される。テレビ受信機７Ｂは、入力されたＲＦ信号から映像信号及び音声信号を再現する。これにより、要求先のＲＦ信号伝送装置３００ｂから受信した量子化信号に基づく映像信号及び音声信号が、テレビ受信機７Ｂによって再生される。
【０１０１】
受信側のＲＦ信号伝送装置３００ａが量子化信号を受信している間、受信側のユーザにより視聴を停止するための所定の操作がなされた場合、ＲＦ信号伝送装置３００ａの制御部３０１は、停止要求情報を送信する（ステップＳ７）。この停止要求情報は、送信側のＲＦ信号伝送装置３００ｂへ送信される。
【０１０２】
送信側のＲＦ信号伝送装置３００ｂは、番組の量子化信号の送信中に、停止要求情報を受信すると、番組の途中でも、ＲＦ信号の量子化及び量子化信号の送信を停止する。
また、送信側のＲＦ信号伝送装置３００ｂは、送信中の番組の放送時間が終了したか否かを判定し、放送時間が終了した場合も、ＲＦ信号の量子化及び量子化信号の送信を停止してもよい。
【０１０３】
送信側のＲＦ信号伝送装置３００ｂの制御部３０１は、量子化信号の送信を停止すると、停止通知情報を、受信側のＲＦ信号伝送装置３００ａへ送信する（ステップＳ８）。
受信側のＲＦ信号伝送装置３００ａは、停止通知信号を受信すると、量子化信号の受信を停止する。
【０１０４】
このように、本実施形態によれば、いずれかのＲＦ信号伝送装置３００ｂが受信したＲＦ信号が、信号伝送路４（インターネット等）を介して、他のＲＦ信号伝送装置３００ｂへ送信される。したがって、無線放送の中継装置を設けなくても、地域Ｂ１で受信可能な無線放送の番組を、他の地域Ｂ２にて視聴することが可能となる。
【０１０５】
しかも、ＲＦ信号をΔΣ変調（特に、バンドパス型ΔΣ変調）によってデジタル化したため、比較的少ない情報量となっていることからも、パケット通信に適したものとなっている。
【０１０６】
しかも、本実施形態の構成によれば、送信側のＲＦ信号伝送装置３００ｂは、アンテナ３２０で受信したＲＦ信号のチャンネル（周波数帯域）を変更して、ＲＦ信号（量子化信号）を送信することができる。このため、受信側のユーザは、送信要求した番組を、当該ユーザが希望するチャンネルで視聴できる。
【０１０７】
例えば、送信側のＲＦ信号伝送装置３００ｂのアンテナ３２０から入力されたＲＦ信号のチャンネルが「３」であるとする。
一方、受信側のＲＦ信号伝送装置３００ａでは、チャンネル「３」が、アンテナ３２０にて受信するためのチャンネルとなっているが、チャンネル「１」は空チャンネル（放送に使われていないチャンネル）となっているものとする。
この場合、受信側は、希望チャンネルをチャンネル「１」として、送信要求情報を送信側のＲＦ信号伝送装置３００ｂに送信すると、送信側のＲＦ信号伝送装置３００ｂは、アンテナ３２０にて受信した番組のチャンネルを、チャンネル「３」からチャンネル「１」に変換して送信する。
この結果、受信側のＲＦ信号伝送装置３００ａでは、空チャネルにて所望の番組を受信することができる。
【０１０８】
［４．変形例］
図６に示すＲＦ信号伝送装置３００は、図２に示すＲＦ信号伝送装置３００における、アンテナ３２０からの入力系（第１入力系)、及び、テレビ受信機７Ｂへの出力系を省略したものである。図６に示すＲＦ信号伝送装置３００は、専ら、他のＲＦ信号伝送装置３００から受信したＲＦ信号（量子化信号）を、更に他のＲＦ信号伝送装置３００へ送信する中継装置として機能する。中継の際に、ＲＦ信号のチャンネルを変換することもできる。
なお、図２に示すＲＦ信号伝送装置３００も、中継装置として用いることができる。
【０１０９】
図７に示すＲＦ信号伝送装置３００は、量子化信号を他のＲＦ信号伝送装置３００に送信する機能を省略し、アンテナ３２０及び他のＲＦ信号伝送装置３００からＲＦ信号を受信するように構成したものである。なお、図７に示すＲＦ信号伝送装置３００においてアンテナ３２０からの入力系を省略してもよい。
【０１１０】
［５．バンドパス型ΔΣ変調］
［５．１  ΔΣ変調器の基本構成］
図８に示すように、ΔΣ変調器３０７は、ループフィルタ２７と、量子化器２８と、を備えている（非特許文献１参照）。
図８に示すΔΣ変調器３０７は、入力（本実施形態では、ＲＦ信号）Ｕが、ループフィルタ２７に与えられる。ループフィルタ２７の出力Ｙは、量子化器（例えば、１ｂｉｔ量子化器）２８に与えられる。量子化器２８の出力（量子化信号）Ｖは、ループフィルタ２７への他の入力として与えられる。
【０１１１】
ΔΣ変調器３０７の特性は、信号伝達関数（ＳＴＦ；Ｓｉｇｎａｌ  Ｔｒａｎｓｆｅｒ  Ｆｕｎｃｔｉｏｎ）及び雑音伝達関数（ＮＴＦ；Ｎｏｉｓｅ  Ｔｒａｎｓｆｅｒ  Ｆｕｎｃｔｉｏｎ）によって表すことができる。
つまり、ΔΣ変調器３０７の入力をＵとし、ΔΣ変調器３０７の出力をＶとし、量子化雑音をＥとしたときに、ΔΣ変調器３０７の特性を、ｚ領域において表すと、次のとおりである。
【数１】
2013255004.tif 000003
【０１１２】
したがって、所望のＮＴＦとＳＴＦとが与えられると、ループフィルタ２７の伝達関数を得ることができる。
【０１１３】
このようなΔΣ変調は、オーバサンプリング変調の一種であり、一般的には、ＡＤ変換又はＤＡ変換に用いられている技術である。
ΔΣ変調では、信号帯域内の量子化雑音を、信号帯域外に移動させて、信号帯域内の量子化雑音を大きく低下させるノイズシェイピング（Ｎｏｉｓｅ  Ｓｈａｐｉｎｇ）が行われる。
【０１１４】
図９は、１次ローパス型ΔΣ変調器１２５の線形ｚ領域モデルのブロック図を示している。符号１２７がループフィルタの部分を示し、符号１２８が量子化器を示している。このΔΣ変調器１２５への入力をＵ（ｚ）とし、出力をＶ（ｚ）とし、量子化雑音をＥ（ｚ）としたときに、ΔΣ変調器１２５の特性を、ｚ領域において表すと、次のとおりである。
Ｖ（ｚ）＝Ｕ（ｚ）＋（１−ｚ−１）Ｅ（ｚ）
【０１１５】
つまり、図９に示す１次ローパス型ΔΣ変調器１２５において、信号伝達関数ＳＴＦ（ｚ）＝１であり、雑音伝達関数ＮＴＦ（ｚ）＝１−ｚ−１である。
【０１１６】
［５．２  ローパス型ΔΣ変調とバンドパス型ΔΣ変調］
一般に、「ΔΣ変調」という用語は、ローパス型ΔΣ変調を指す。
ローパス型ΔΣ変調では、図１０（ａ）に示すように、低い周波数の量子化雑音が、より高い周波数側に移動して、低い周波数の量子化雑音が減衰するようノイズシェイピングされている。つまり、ローパス型Δ変調では、雑音伝達関数（ＮＴＦ）は、低周波数（０Ｈｚ付近）において、通過雑音を阻止する特性を有している。
【０１１７】
オーバサンプリングを行うため、ΔΣ変調が施される信号の周波数は、ローパス型ΔΣ変調器のサンプリング周波数ｆｓよりも十分小さいことが必要である。換言すると、信号の周波数に対して、十分に大きなサンプリング周波数ｆｓが要求される。例えば、信号の周波数に対して、１２８倍程度のサンプリング周波数ｆｓが必要である。
【０１１８】
一方、バンドパス型ΔΣ変調では、図１０（ｂ）に示すように、雑音伝達関数（ＮＴＦ）は、０Ｈｚよりも大きい周波数において、通過雑音を阻止する。
【０１１９】
バンドパス型ΔΣ変調では、信号の周波数ｆ０ではなく、信号の帯域幅ｆＢが、サンプリング周波数ｆｓよりも十分に小さければよい。
したがって、バンドパス型ΔΣ変調では、ΔΣ変調が施される信号の周波数（中心周波数）ｆ０は、サンプリング周波数ｆｓ以下であればよい。
換言すると、バンドパス型ΔΣ変調では、信号の帯域幅ｆＢに対して、十分に大きなサンプリング周波数ｆｓであればよい。例えば、信号の帯域幅ｆＢに対して、６４倍程度の十分に大きなサンプリング周波数ｆｓがあればよい。
【０１２０】
ここで、例えば、ＲＦ信号の搬送波周波数ｆ０が１ＧＨｚ、信号帯域ｆＢが２０ＭＨｚであるものとする。このような無線周波数の変調波（ＲＦ信号）に対して、ローパス型ΔΣ変調を行おうとすると、変調波の最大周波数は、約１ＧＨｚであるため、変調波の最大周波数である１ＧＨｚに対して、十分に大きな（１２８倍程度）のサンプリング周波数ｆｓ（＝約１２８ＧＨｚ）が必要となる。このように、ローパス型ΔΣ変調では、搬送波周波数が比較的低い周波数のＲＦ信号（例えば、ラジオ放送のＲＦ信号）には適しているが、搬送波周波数が非常に高い周波数のＲＦ信号（例えば、テレビ放送のＲＦ信号）については、サンプリング周波数（サンプリング速度）が高くなりすぎる。
【０１２１】
これに対し、バンドパス型ΔΣ変調では、信号の帯域幅ｆＢに対して、十分に大きなサンプリング周波数ｆｓであればよいため、信号帯域が２０ＭＨｚのＲＦ信号であれば、２０ＭＨｚ×６４＝１．２８ＧＨｚ程度のサンプリング周波数ｆｓ（サンプリング速度＝１．２８ＧＳ／Ｓ）でよい。また、信号帯域が５ＭＨｚであれば、３２０ＭＨｚのサンプリング周波数（サンプリング速度＝３２０ＭＳ／ｓ）でよい。
このように、バンドパス型ΔΣ変調では、サンプリング周波数（サンプリング速度）を小さくできるため、有利である。
【０１２２】
［５．３  バンドパス型のΔΣ変調器の設計］
［５．３．１  変換式］
非特許文献１によれば、ローパス型ΔΣ変調器に対して、以下の変換を行うことで、ローパス型ΔΣ変調器を、バンドパス型ΔΣ変調器に変換できる。
【数２】
2013255004.tif 000004
【０１２３】
上記変換式に従って、ローパス型ΔΣ変調器１２５のｚ領域モデルにおけるｚを、ｚ’＝−ｚ２に置き換えることでバンドパス型ΔΣ変調器が得られる。
【０１２４】
上記変換式を用いると、ｎ次のローパス型ΔΣ変調器（ｎは１以上の整数）を、２ｎ次のバンドパス型Σ変調器に変換できる。
例えば、１次ローパス型ΔΣ変調器１２５の周波数特性は、図１１（ａ）に示すとおりである。１次ローパス型ΔΣ変調器１２５を、上記変換式で変換して得られた２次バンドパス型ΔΣ変調器の周波数特性は、図１１（ｂ）に示すようになる。なお、図１１において、横軸θは正規化周波数である。
【０１２５】
上記変換式で得られたバンドパス型ΔΣ変調器の信号伝達関数及び雑音伝達関数は、変換前のローパス型ΔΣ変調器１２５と同じ利得を持つものの、図１１（ｂ）に示す周波数特性は、図１１（ａ）に示す周波数特性が２分の１に圧縮され、折り返されている。
【０１２６】
上記変換式で得られたバンドパス型ΔΣ変調器は、同じオーバサンプリング比で動作する変換前のローパス型ΔΣ変調器１２５と同じ安定性特性とＳＮＲ特性を持つ。
【０１２７】
しかし、上記変換式では、図１１（ｂ）に示すように、サンプリング周波数ｆｓの１／４の周波数（正規化周波数θ＝±π／２）用のバンドパス型ΔΣ変調器しか得られない。つまり、上記変換式では、サンプリング周波数ｆｓの１／４周波数（正規化周波数θ＝±π／２）が量子化雑音阻止帯域の中心周波数ｆ０であるバンドパス型ΔΣ変調器しか得られない。
【０１２８】
本発明者は、ローパス型ΔΣ変調器から、所望の周波数ｆ０（θ＝θ０）を、量子化雑音阻止帯域の中心周波数ｆ０として持つバンドパス型ΔΣ変調器を得るための変換式を見出した。当該変換式は、例えば、次の式（３）に示す通りである。
【数３】
2013255004.tif 000005
ここで、
θ０＝２π×（ｆ０／ｆｓ）
【０１２９】
式（２）の変換式では、特定の周波数θ０＝π／２に関するものであったが、式（３）の変換式では、任意の周波数（θ０）に一般化されている。
【０１３０】
［５．３．２  変換式の考え方］
ローパス型ΔΣ変調器において、ｚ＝ｅｊωＴ＝１という前提に立つと、ローパス型変調器の特性を維持しつつバンドパス型ΔΣ変調器に変換するためのｚ’の絶対値は１となるべきである。
｜ｚ’｜＝１でなければ、素子ｚを通過した信号の大きさ（振幅）が変化するため、変換前のローパス型ΔΣ変調器よりも特性が劣化するからである。
なお、ｚ’の大きさは、１であっても、−１であってもよい。これは、ｚ’＝１とｚ’＝−１とは、単に位相が反転した関係にすぎず、信号の大きさを変化させないからである。
【０１３１】
したがって、ローパス型ΔΣ変調器の特性を劣化させずに維持しつつ、バンドパス型ΔΣ変調器を得るためのｚ’は、ｚ及びθ０を含む関数ｆｃｎｖ（ｚ，θ０）であって、任意のｚ，θ０について、ｆｃｎｖ（ｚ，θ０）の絶対値が常に１となる関数ｆｃｎｖ（ｚ，θ０）であれば良い。
【０１３２】
そのような関数ｆｃｎｖ（ｚ，θ０）を見出せば、ローパス型ΔΣ変調器を、所望の周波数ｆ０（θ０）用のバンドパス型ΔΣ変調器が得られる。
【０１３３】
本発明者は、次のようにして、そのような関数ｚ’＝ｆｃｎｖ（ｚ，θ０）を見出し、式（２）を一般化した変換式ｚ→ｚ’（式（３））を得た。
【０１３４】
まず、ローパス型ΔΣ変調器から、所望の周波数ｆ０（θ＝θ０）を中心周波数ｆ０として持つバンドパス型ΔΣ変調器への変換は、周波数特性で考えると、図１２に示すようになる。図１２は、図１１を、任意の周波数ｆ０（θ＝θ０）で一般化したものである。
図１２（ｂ）に示すように、バンドパス型ΔΣ変調器の雑音阻止帯域の中心周波数はｆ０（θ０＝２π×（ｆ０／ｆｓ））である。
【０１３５】
ここで、
【数４】
2013255004.tif 000006
とおくことで、周波数領域で考える。なお、Ｔはサンプリング周期である。
【０１３６】
また、式（４）のωＴは、
【数５】
2013255004.tif 000007
である。
【０１３７】
そして、図１２（ａ）に示すように、ローパス型ΔΣ変調器では、ｆ０＝０（θ＝０）で動作している。そこで、本発明者は、式（４）に関して、ローパス型ΔΣ変調器では、以下の式（６）が成り立つと考えた。
【数６】
2013255004.tif 000008
つまり、ローパス型ΔΣ変調器では、図１２（ａ）に示すように、ｅｊ０で動作していると考えることができる。
【０１３８】
式（６）より、以下の式（７）が得られる。
【数７】
2013255004.tif 000009
【０１３９】
一方、バンドパス型ΔΣ変調器では、図１２（ｂ）及び図１３（ｂ）に示すように、θ０及び−θ０において、複素共役の対で動作する。
したがって、ローパス型Δ変調器における式（７）に基づくとともに、バンドパス型ΔΣ変調器が複素共役の対を持つことを考慮すると、次の式（８）が得られる。
【数８】
2013255004.tif 000010
【０１４０】
本発明者は、式（８）を利用して、ｚ’＝ｆｃｎｖ（ｚ，θ０）を得た。
すなわち、まず、上記式（８）を次のように変形して、右辺（一方の辺）の値が１である式（１０）を得る。
【数９】
2013255004.tif 000011
【数１０】
2013255004.tif 000012
【０１４１】
式（１０）は、その左辺（他方の辺）の式の値が、任意のｚ，θ０について、常に左辺の値＝１となる恒等式であることが明らかである。
したがって、式（１０）の左辺は、任意のｚ，θ０について、値が常に１となる関数ｆｃｎｖ（ｚ，θ０）となっている。
【０１４２】
式（１０）より、ローパス型からバンドパス型へ変換するための変換式ｚ→ｚ’におけるｚ’は、次の通りである。
【数１１】
2013255004.tif 000013
上記式（１１）より、式（３）の変換式が得られる。
なお、上記式（３）において、θ０＝π／２（ｆ０＝ｆｓ／４の場合）とおくと、式（２）の変換式と等価であることがわかる。
さらに、ローパス型ΔΣ変換器は、θ０＝０である。θ０＝０の場合、式（３）の変換式は、ｚ→ｚとなり、式（３）は、ローパス型ΔΣ変換器を変形させないことがわかる。
【０１４３】
また、ｚ’＝ｆｃｎｖ（ｚ，θ０）の値は、−１でもよいため（絶対値が１であればよいため）、ｚ’は、次の形式であってもよい。
【０１４４】
【数１２】
2013255004.tif 000014
【０１４５】
また、ｚ’＝ｆｃｎｖ（ｚ，θ０）の分母と分子とを入れ替えても、１又は−１となるため、ｚ’は、次の形式であってもよい。
【数１３】
2013255004.tif 000015
【数１４】
2013255004.tif 000016
【０１４６】
なお、任意のｚ，θ０について、絶対値が常に１となる式ｚ’＝ｆｃｎｖ（ｚ，θ０）の表現形式は、当然ながら、例示したものに限定されない。ｆｃｎｖ（ｚ，θ０）について、多様な表現形式が存在することは、式（８）から一方の辺の値が１又は−１である恒等式を得るための式の変形の仕方が一通りではないことからも明らかである。
【０１４７】
［５．４  バンドパスΔΣ変調器の例］
［５．４．１  第１例］
図１４は、図９に示す１次ローパス型ΔΣ変調器１２５を、式（３）の変換式で変換して得られた２次バンドパス型ΔΣ変調器３０７を示している。
なお、図９から図１４への変換では、表記の便宜上、式（３）において、ａ＝ｃｏｓθ０とおいた下記の変換式を用いた。
【数１５】
2013255004.tif 000017
【０１４８】
［５．４．２  第２例］
図１５は、非特許文献１に記載されたＣＲＦＢ構造のループフィルタ１２７を持つローパス型ΔΣ変調器１２５を示している。なお、図１５において、符号１２８は、量子化器を示す。
【０１４９】
図１５に示すローパス型ΔΣ変調器１２５を、式（３）の変換式で変換すると、図１６に示すバンドパス型ΔΣ変調器３０７が得られる。なお、ここでも、表記の便宜上、式（３）において、ａ＝ｃｏｓθ０とおいた。
【０１５０】
図１５の（１／（ｚ−１））と（ｚ／（ｚ−１））におけるｚが、変換式によって変換される。（１／（ｚ−１））と（ｚ／（ｚ−１））の変換後の式は、それぞれ、次の通りである。
【数１６】
2013255004.tif 000018
【数１７】
2013255004.tif 000019
【０１５１】
［５．４．３  その他］
バンドパス型ΔΣ変調器への変換は、その他の高次ローパス型ΔΣ変調器（例えば、非特許文献１記載のＣＩＦＢ構造、ＣＲＦＦ構造、ＣＩＦＦ構造など）に対しても適用できる。
【０１５２】
［５．５  出力結果］
図１７〜図２０は、第２例（図１６）のバンドパス型ΔΣ変調器において、θ０＝π／４とした場合（図１７）、θ０＝３π／４とした場合（図１８）、θ０＝５π／４とした場合（図１９）、θ０＝７π／４とした場合（図２０）の出力スペクトラム波形を示している。
【０１５３】
図１７〜図２０に示すように、θ０＝π／４，３π／４，５π／４，７π／４の各周波数において、信号が所望のθ０において出現しており、θ０＝±π／２以外の他の周波数用のバンドパス型ΔΣ変調器が得られていることが分かる。
【０１５４】
従来、任意の周波数ｆ０に対してバンドパス型ΔΣ変調を行うバンドパス型ΔΣ変調器の設計手法は確立していなかった。しかし、式（３）などの変換式を用いることで、所望の搬送周波数ｆ０を、雑音伝達関数（ＮＴＦ）の雑音阻止帯域として設定でき、所望の搬送周波数ｆ０に対してバンドパス型ΔΣ変調を行うバンドパス型ΔΣ変調器を設計することができる。
【０１５５】
［５．６  ΔΣ変調器の雑音阻止帯域の変更制御］
ＲＦ信号伝送装置３００のΔΣ変調器３０７は、前述の式（３）に基づいて、ｚの値が変換可能となっている。つまり、ΔΣ変調器３０７は、量子化雑音阻止帯域の中心周波数を変更可能となっている。換言すると、量子化雑音阻止帯域が変更可能となっている。
【０１５６】
ＲＦ信号伝送装置３００の制御部３０１は、ΔΣ変調器３０７に入力されるＲＦ信号の中心周波数ｆ２（上述の搬送周波数ｆ０）に応じて、前述の式（３）に基づいてΔΣ変調器３０７のｚを変換することにより、任意のチャネルのＲＦ信号に対して、ΔΣ変調が行える。
このように、ＲＦ信号の中心周波数ｆ２（上述の搬送周波数ｆ０）に応じて、上記変換式（３）におけるｃｏｓθ０（係数ａ）を変更することで、サンプリング周波数ｆｓを変更することなく、任意の周波数ｆ２（ｆ０）に対応したバンドパスΔΣ変調が行える。ｃｏｓθ０を変更すると、式（１）に示すＮＴＦの係数が変更されたことになるが、式の次数は維持される。このため、ＲＦ信号の搬送波周波数ｆ２（ｆ０）に応じて、バンドパス型ΔΣ変調器３０７の構成を変化させても、式の複雑度（次数）は変化せず、したがって、バンドパス型ΔΣ変調器３０７における信号処理負荷も変化しない。このことは、後述の［７．高調波の利用］においても同様である。
【０１５７】
このように本実施形態では、搬送波周波数ｆ２（ｆ０）を変化させても、バンドパス型ΔΣ変調器３０７における信号処理負荷が変化しないため有利である。本実施形態において、バンドパス型ΔΣ変調器３０７における信号処理負荷は、ナイキストの定理により、信号帯域幅によって決定されるサンプリング周波数ｆｓに依存するが、搬送波周波数ｆ２（ｆ０）を変化させても信号帯域幅が変化するわけではないためサンプリング周波数ｆｓを変更する必要はない。なお、ΔΣ変調器がローパス型である場合、搬送波周波数ｆ０の変化に対応するには、サンプリング周波数ｆｓを変更する必要があり、この点において、バンドパス型が有利である。
【０１５８】
また、式（３）を利用すると、ΔΣ変調器３０７を任意の周波数ｆ２（ｆ０）に対応できるバンドパス型ΔΣ変調器として利用できるだけでなく、ローパス型ΔΣ変調器として利用することもできる。つまり、ΔΣ変調器３０７は、ローパス型とバンドパス型とに切り替え可能となっている。
【０１５９】
［６．帯域拡張］
図２１は、図２のＲＦ信号伝送装置３００のＡＤ変換器３０５からΔΣ変調器３０７の間の構成の変形例を示している。図２１では、直交復調器３２５、ベースバンド部３２６、帯域拡張部２９、及び直交変調器３２７が追加されている。図２１のＲＦ信号伝送装置３００において、説明および図示を省略した点については、図２のものと同様である。
【０１６０】
前述のように、バンドパス型ΔΣ変調では、信号帯域ｆＢがサンプリング周波数ｆｓに対して十分に小さければよい。例えば、信号帯域が２０ＭＨｚのＲＦ信号であれば、２０ＭＨｚ×６４＝１．２８ＧＨｚのサンプリング周波数ｆｓ（サンプリング速度＝１．２８ＧＳ／Ｓ）でよい。
【０１６１】
ここで、前述のサンプリング周波数ｆｓ（１．２８ＧＨｚ）を更に大きくできる場合、信号帯域ｆＢに余裕ができるため、図２１に示すように、帯域拡張部２９を設けておき、信号帯域ｆＢを拡張しておくのが好ましい。
ここで、直交復調器３２５は、ＡＤ変換器３０５から出力された信号を直交復調し、ベースバンド信号を出力する。ベースバンド部３２６は、ＩＱベースバンド信号（Ｉ信号、Ｑ信号それぞれ）をデジタルデータとして出力する。直交変調器３２７では、ＩＱベースバンド信号に直交変調が適用される。
帯域拡張部２９では、アップサンプリングを行うことにより、図２２に示すように、元々の信号帯域ｆＢ（＝２０ＭＨｚ）の両側にゼロ信号を挿入して、信号帯域を２倍（ｆＢ’＝４０ＭＨｚ）に拡張する。また、信号帯域ｆＢ’の拡張に伴い、バンドパス型ΣΔ変調器２５のサンプリング周波数ｆｓも、２倍の２．５６ＧＨｚとなる。
【０１６２】
このように、帯域ｆＢを拡張するとサンプリング周波数ｆｓが大きくなる。ここで、搬送波周波数ｆ０は、サンプリング周波数ｆｓ以下の値を選択できるため、サンプリング周波数ｆｓが大きくなると、搬送周波数ｆ０の選択の幅も大きくなる。
【０１６３】
ここで、例えば、信号帯域ｆＢ＝２０ＭＨｚで、搬送波周波数ｆ０が２ＧＨｚとする。この場合、バンドパス型ΔΣ変調のために、信号帯域ｆＢ＝２０ＭＨｚだけを基準にサンプリング周波数ｆｓを決定すると、サンプリング周波数ｆｓ＝１．２８ＧＨｚ＝２０ＭＨｚ×６４となる。しかし、サンプリング周波数ｆｓ＝１．２８ＧＨｚが、搬送波周波数ｆ０＝２ＧＨｚよりも小さいため、不適切である。
【０１６４】
しかし、拡張された信号帯域ｆＢ’＝４０ＭＨｚを基準にサンプリング周波数ｆｓを決定すると、サンプリング周波数ｆｓ＝２．５６ＧＨｚ＝４０ＭＨｚ×６４となる。この場合、サンプリング周波数ｆｓ＝２．５６ＭＨｚが、搬送波周波数ｆ０＝２ＧＨｚよりも大きいため適切である。
【０１６５】
また、帯域拡張部２９によって拡張された信号帯域部分ｆＢ１，ｆＢ２は、実質的には、信号が存在しない部分である。したがって、図２３に示すように、ＲＦ信号の受信側のＲＦ信号伝送装置３００のバンドパスフィルタ３１６では、拡張前の信号帯域ｆＢを通過帯域とするものでよく、拡張された信号帯域ｆＢ’全体が通過帯域となっていなくてもよい。
しかも、拡張された信号帯域部分ｆＢ１，ｆＢ２を利用して、バンドパスフィルタのロールオフ（ｒｏｌｌ−ｏｆｆ）を広くとることができるため、バンドパスフィルタの設計が容易となる。
【０１６６】
［７．高調波の利用］
ΔΣ変調器３０７の出力は、量子化信号（パルス信号）であるため、主信号成分のほか、折り返しによる高調波成分が存在する。
この高調波成分を利用することで、送信側のＲＦ信号伝送装置３００では、搬送波周波数ｆ０’及びサンプリング周波数ｆｓを低く抑えつつ、受信側のＲＦ信号伝送装置３００で受信される量子化信号（ＲＦ信号）の周波数を高くすることができる。
【０１６７】
例えば、受信側のＲＦ信号伝送装置３００にて受信したいＲＦ信号の周波数（受信周波数）ｆ０が、２ＧＨｚであったとする。高調波を利用しない場合には、送信側のＲＦ信号伝送装置３００は、搬送波周波数（無変調波の周波数）ｆ０を２ＧＨｚとし、サンプリング周波数ｆｓを２ＧＨｚよりも大きい値にする必要がある。
【０１６８】
しかし、図２４に示すように、バンドパス型ΔΣ変調器３０７に対して、搬送波周波数ｆ０’の変調波を入力すると、バンドパス型ΔΣ変調器３０７の出力（量子化信号）は、搬送波周波数ｆ０’を中心とする主信号成分を有するだけでなく、折り返しによって、ｆ０＝ｎ×ｆｓ＋ｆ０’（ｎは絶対値が１以上の整数）の高調波成分をも有している。
この高調波成分を、受信側のＲＦ信号伝送装置３００で積極的に受信させることで、送信側のＲＦ信号伝送装置３００では、比較的低い周波数ｆ０’を対象に処理を行いつつも、受信側のＲＦ信号伝送装置３００では、搬送波周波数ｆ０＝ｎ×ｆｓ＋ｆ０’の高い周波数の変調波を受信することが可能となる。
【０１６９】
具体的には、受信側のＲＦ信号伝送装置３００の受信周波数ｆ０を２ＧＨｚとした場合、量子化信号をＲＦ信号へ復元するためのアナログバンドパスフィルタの通過帯域の中心周波数ｆｃも２ＧＨｚに設定される。つまり、受信側のＲＦ信号伝送装置３００は、中心周波数ｆ０が２ＧＨｚの変調波（ＲＦ信号）を受信する。
この場合、送信側のＲＦ信号伝送装置３００のバンドパス型Δ変調器３０７のサンプリング速度ｆｓを１．５ＧＨｚ（＜ｆ０）とすると、周波数変換器３０６から出力される搬送波の周波数ｆ０’は、
ｆ０’＝ｆ０−ｆｓ＝２ＧＨｚ−１．５ＧＨｚ＝５００ＭＨｚ
でよい。
【０１７０】
したがって、送信側のＲＦ信号伝送装置３００としては、実際には、中心周波数（搬送波周波数）ｆ０’が５００ＭＨｚの変調波を扱いつつも、受信側のＲＦ信号伝送装置３００からみると、送信側のＲＦ信号伝送装置３００は、あたかも、中心周波数（搬送波周波数）ｆ０が２ＧＨｚの変調波を送信しているものとみなすことができる。この結果、送信側のＲＦ信号伝送装置３００におけるサンプリング周波数よりも高い周波数の変調波を送信することが可能となる。
【０１７１】
図２４に示す主信号成分を受信側のＲＦ信号伝送装置３００が所望する周波数（受信周波数）のＲＦ信号として送信する場合、及び図２４に示す高調波成分を受信側のＲＦ信号伝送装置３００が所望する周波数（受信周波数）の信号として送信する場合の両者についてまとめると、送信側のＲＦ信号伝送装置３００の周波数変換器３０６から出力される搬送波の周波数ｆ０’は、以下の式を満たすものとなる。
ｆ０’＝ｆ０−ｎ×ｆｓ
ただし、
ｆ０   ：受信側の受信周波数
ｆｓ  ：バンドパス型ΔΣ変調器３０７のサンプリング周波数
ｆ０’ ：周波数変換器３０６から出力される変調波の周波数
ｎ    ：整数
【０１７２】
上記式において、ｎ＝０の場合が、図２４に示す主信号成分を受信側のＲＦ信号伝送装置３００が所望する周波数（受信周波数）の信号として送信する場合となり、それ以外の場合が、図２４に示す高調波成分を受信側のＲＦ信号伝送装置３００が所望する周波数（受信周波数）の信号として送信する場合となる。
ｎが大きくなると、高調波成分は徐々に小さくなるため、ｎ＝±１（特にｎ＝１）が好ましい。
【０１７３】
また、量子化信号をＲＦ信号へ復元するためのアナログバンドパスフィルタの通過帯域の中心周波数ｆｃは、以下の式を満たすものとなる。
ｆｃ＝ｆ０’＋ｎ×ｆｓ
ただし、
ｆｃ   ：アナログバンドパスフィルタの通過帯域の中心周波数
ｆｓ  ：バンドパス型ΔΣ変調器３０７のサンプリング周波数
ｆ０’ ：周波数変換器３０６のから出力される変調波の周波数
ｎ    ：整数
【０１７４】
上記式においても、ｎ＝０の場合が、図２４に示す主信号成分を受信側のＲＦ信号伝送装置３００が所望する周波数（受信周波数）の信号として送信する場合となり、それ以外の場合が、図２４に示す高調波成分を受信側のＲＦ信号伝送装置３００が所望する周波数（受信周波数）の信号として送信する場合となる。
ｎが大きくなると、高調波成分は徐々に小さくなるため、ｎ＝±１（特にｎ＝１）が好ましい。
【０１７５】
［８．付記］
［８．１  付記１］
前述の説明では、放送サービスとして、地上デジタルテレビ放送を例として説明したが、デジタルテレビ放送としては、衛星デジタルテレビ放送であってもよい。また、テレビ放送としては、アナログテレビ放送であってもよい。放送は、ラジオ放送であってもよい。
【０１７６】
［８．２  付記２］
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【０１７７】
１  ＲＦ信号伝送システム
２  放送設備
２ｃ  アンテナ
４  信号伝送路
４ｅ  光伝送路
４ｆ  光伝送路
４ｇ  光伝送路
７Ｂ  テレビ受信機
９  送受信装置（送信装置；受信装置）
３００  ＲＦ信号伝送装置
３０１  制御部
３０２  アンテナ端子（入力端子）
３０３  第１周波数変換器（周波数変換部）
３０４  第１切替部
３０５  ＡＤ変換器
３０６  第２周波数変換器（周波数変換部）
３０７  ΔΣ変調器
３０８  送受信部
３０９  光リンク
３１１  バッファ
３１２  出力部
３１３  出力端子
３１４  第２切替部
３１６  アナログフィルタ
３２０  アンテナ
【図１】
2013255004.tif 000020
【図２】
2013255004.tif 000021
【図３】
2013255004.tif 000022
【図４】
2013255004.tif 000023
【図５】
2013255004.tif 000024
【図６】
2013255004.tif 000025
【図７】
2013255004.tif 000026
【図８】
2013255004.tif 000027
【図９】
2013255004.tif 000028
【図１０】
2013255004.tif 000029
【図１１】
2013255004.tif 000030
【図１２】
2013255004.tif 000031
【図１３】
2013255004.tif 000032
【図１４】
2013255004.tif 000033
【図１５】
2013255004.tif 000034
【図１６】
2013255004.tif 000035
【図２１】
2013255004.tif 000036
【図２２】
2013255004.tif 000037
【図２３】
2013255004.tif 000038
【図２４】
2013255004.tif 000039
【図１７】
2013255004.tif 000040
【図１８】
2013255004.tif 000041
【図１９】
2013255004.tif 000042
【図２０】
2013255004.tif 000043